(57)【要約】【課題】  利用者に対して明瞭に音声案内できるようにする。【解決手段】  乗車券に記録されているデータを基に所定の入出場の演算処理を行い、その演算処理の結果について、又は無札者を検知したときに、スピーカを介して所定の内容の音声案内を行う自動改札機において、前記乗車券に記録されているデータ中からその乗車券の利用者が大人か子供か等の利用者の属性を抽出する属性抽出手段と、抽出された利用者の属性に対応させて前記スピーカの指向性を選択する選択手段とを有する。【選択図】      図３
2005032090.tif 000002
【特許請求の範囲】
【請求項１】
乗車券に記録されているデータを基に所定の入出場の演算処理を行い、その演算処理の結果について、又は無札者を検知したときに、スピーカを介して所定の内容の音声案内を行う自動改札機において、
前記乗車券に記録されているデータ中からその乗車券の利用者が大人か子供か等の利用者の属性を抽出する属性抽出手段と、
抽出された利用者の属性に対応させて前記スピーカの指向性を選択する選択手段と、
を有することを特徴とする自動改札機。
【請求項２】
請求項１に記載の自動改札機において、スピーカは、利用者の属性に対応した指向性を有する複数のスピーカからなることを特徴とする自動改札機。
【請求項３】
請求項１又は２に記載の自動改札機において、スピーカは、高指向性のスピーカからなることを特徴とする自動改札機。
【発明の詳細な説明】
【技術分野】
【０００１】
本発明は自動改札機に係り、特に、改札通路内の利用者に所定の内容をスピーカを介して明瞭に案内できるようにしたものに関する。
【背景技術】
【０００２】
従来、この種の自動改札機は、その自動改札機の本体の改札通路内の利用者（旅客）に対して、所定の内容、例えば乗越しによる精算案内の必要性等をスピーカを介して案内できるように構成されている（特許文献１参照）。しかしながら、上記従来の自動改札機において、スピーカは、自動改札機の本体に無指向性のスピーカが１個、例えば、その自動改札機の本体の改札通路側の中央部分に位置する箇所に設けられているので、利用者に対する案内性に欠ける欠点があった。特に、自動改札機の本体の設置される改札機は、騒然としているのでスピーカからの音声が聞き取りにくいという欠点があった。
【０００３】
本出願人は、このような欠点を解決するために、改札通路内の利用者位置に合わせて音声案内できる自動改札機を提案している（特許文献２参照）。
【特許文献１】特開２００１−３５７４２４号公報
【非特許文献１】特開２００２−３５８５４４号公報
【発明の開示】
【発明が解決しようとする課題】
【０００４】
ところで、自動改札機が大型駅に設置される場合は、複数台並設され、隣接する自動改札機の音声案内と同時に案内が行われたときや、駅構内の放送と同時に案内が行われたときなどは、案内内容が聞き取りにくいという欠点があった。
【０００５】
そこで、本発明は、環境騒音が大きくとも、所定の内容の音声案内を明瞭に伝えることのできる自動改札機を提供することを目的としている。
【課題を解決するための手段】
【０００６】
本発明に係る自動改札機は、上記目的を達成するために、請求項１に記載の発明は、乗車券に記録されているデータを基に所定の入出場の演算処理を行い、その演算処理の結果について、又は無札者を検知したときに、スピーカを介して所定の内容の音声案内を行う自動改札機において、前記乗車券に記録されているデータ中からその乗車券の利用者が大人か子供か等の利用者の属性を抽出する属性抽出手段と、抽出された利用者の属性に対応させて前記スピーカの指向性を選択する選択手段と、を有することを特徴としている。
本発明の請求項２に記載の自動改札機は、スピーカは、利用者の属性に対応した指向性を有する複数のスピーカからなることを特徴としている。
本発明の請求項３に記載の自動改札機は、スピーカは、高指向性のスピーカからなることを特徴としている。
【発明の効果】
【０００７】
本発明の請求項１に記載の自動改札機は、乗車券に記録されているデータ中からその乗車券の利用者が大人か子供か等の利用者の属性を抽出する属性抽出手段と、抽出された利用者の属性に対応させてスピーカの指向性を選択する選択手段とを有するので、環境騒音が大きくとも利用者に対して所定の音声案内を明瞭に伝えることが可能となる。
本発明の請求項２に記載の自動改札機は、スピーカは、利用者の属性に対応した指向性を有する複数のスピーカからなるので、容易に実施することができる。
本発明の請求項３に記載の自動改札機は、スピーカは、高指向性のスピーカからなるので、利用者に対してより明瞭な音声案内を行うことができる。
【発明を実施するための最良の形態】
【０００８】
以下、本発明を実施するための最良の形態を図面に基づいて説明する。図１は、本発明に係る自動改札機の斜視図であって、その自動改札機の本体（以下、「改札機本体」という。）Ｇを構成する一対の筐体のうちの一方の筐体Ｇ1 の斜視図である。なお、図示しない他方の筐体Ｇ2 （後述する図３参照）は、改札通路Ｐを挾んでこの一方の筐体Ｇ1 と向き合う形で設けられている。
【０００９】
図１中、１は、筐体Ｇ1 の改札通路Ｐの通過方向の進入（入口）側に設けられた乗車券の投入口、２は、その筐体Ｇ1 の上面で改札通路Ｐの進出（出口）側に設けられた取出口であり、３は、その取出口２の近傍に設けられた利用者に対して文字により所定の内容を案内するための表示画面である。また、図１中、４は、取出口２の近くの後述するセンサ取付ボックスＢに設けられた利用者に対して音声により所定の内容を案内するためのスピーカである。このスピーカ４は、周知の高指向性のスピーカ４ａ〜４ｃと、指向性の広い、つまり無指向性の通常のスピーカ４ｄの４種の複数のスピーカから構成されている。これらスピーカ４ａ〜４ｄについては後述する。
【００１０】
上記投入口１及び取出口２間の筐体Ｇ1 内には、図示しないカードハンドラが設けられている。このカードハンドラは、投入口１から投入された乗車券を取出口２又は筐体Ｇ1 内に設けられた図示しない集札箱まで搬送させることができるように構成されている。そして、その搬送の途中において、投入口１に投入された磁気券からなる乗車券に記録されているデータを読取り、新たなデータを書込み、必要に応じてパンチや印字を行い、利用者へ返却する必要のある乗車券を取出口２に排出し、筐体Ｇ1 内に回収する必要のある乗車券を集札箱へ集札できるように構成されている。
【００１１】
図１中、ａはアンテナであって、筐体Ｇ1 の投入口１側の上面に設けられていて、図示しない無線通信機能を備えたＩＣカードからなる非接触券（本発明では、この非接触券も乗車券の中に含めている。）と交信できるように構成されている。
【００１２】
図１中、Ｂはセンサ取付ボックスであって、筐体Ｇ1 の上面で、かつ、改札通路Ｐと反対側に設けられ、その改札通路Ｐに沿って設けられている。このセンサ取付ボックスＢ内には、上記スピーカ４が設けられているとともに、反射型センサからなる人間検知器Ｓ1 〜Ｓ3 が改札通路Ｐの入口側、中央部及び出口側にそれぞれ内蔵されていて、改札通路Ｐ内の大人の利用者を検知することができるように構成されている。すなわち、この反射型センサからなる人間検知器Ｓ1 〜Ｓ3 は、改札通路Ｐの床面から所定の高さに向けて光線を照射する発光素子と、その照射された光線が物体（利用者）に当たって反射してきた光線（反射光）を受光する受光素子とにより構成されている。
【００１３】
図１中、Ｓ10〜Ｓ15は、光電素子からなる透過型センサからなる人間検知器であって、一対の筐体間の改札通路Ｐ側に所定の間隔を保って設けられていて、改札通路Ｐ内の利用者位置を検知することができるように構成されている。これら人間検知器Ｓ10〜Ｓ15のうち、人間検知器Ｓ10は改札通路Ｐの入口側に、人間検知器Ｓ15は改札通路Ｐの出口側に、人間検知器Ｓ12及びＳ13は改札通路Ｐの中央部に、人間検知器Ｓ11は改札通路Ｐの入口側と中央部との中間に、そして人間検知器Ｓ14は改札通路Ｐの出口側と中央部との中間に設けられている。これら透過型センサからなる人間検知器Ｓ10〜Ｓ15は、一方の筐体Ｇ1 の側面に発光素子を有するとともに、他方の筐体Ｇ2 の側面に受光素子を有して構成されている。そして、これら透過型センサからなる人間検知器Ｓ10〜Ｓ15で検知され、かつ、上述の反射型センサからなる人間検知器Ｓ1 〜Ｓ3 で検知されないときは、その利用者は子供（小児）の利用者と判定される。また、改札通路Ｐの中央部に設けられた一対の人間検知器Ｓ12，Ｓ13は、利用者が改札通路Ｐの中央部に達したことを検知するとともに、検出順序により改札通路Ｐ内の利用者の移動方向を判定するために用いられている。
【００１４】
図１中、Ｄ1 ，Ｄ2 は、改札通路Ｐを開閉するドアであり、これらドアＤ1 ，Ｄ2 のうち、ドアＤ1 は改札通路Ｐの出口側に設けられ、ドアＤ2 はその入口側に設けられている。そして、これらドアＤ1 ，Ｄ2 は、改札機本体Ｇを統括的に制御する後述する制御器Ｃにより駆動されるように構成されている。なお、図示しない他方の筐体Ｇ2 にも、筐体Ｇ1 のドアＤ1 ，Ｄ2 に対応した位置にドアが設けられている。また、ドアＤ2 は、改札機本体Ｇが稼動を停止したときに閉じられるドアであり、さらに、改札機本体Ｇがノーマルオープン型のときや双方向型のときは、このドアＤ2 は、図１の矢印方向と反対方向から進入してくる利用者に対して改札通路Ｐの出口側のドアとなる。本実施の形態では、改札機本体Ｇを図１の矢印で示される方向の利用者を処理する専用型として説明する。
【００１５】
制御器Ｃは、図２に示されるように、メモリ１０に格納されているシステムプログラム及びワーキングデータを用いて所定の入出場の演算処理を行う中央処理部（ＣＰＵ）１１を有している。制御器ＣのＣＰＵ１１は、図示しないＩ／Ｏユニットを介して磁気券からなる乗車券を処理するカードハンドラ１２と、ドアＤ1 ，Ｄ2 を駆動制御するドアドライバ１３と、人間検知装置（Ｓ1 〜Ｓ3 ，Ｓ10〜Ｓ15）からの信号を処理する人間検知器ユニット１４と、アンテナａを介して非接触券に記録されているデータを読取るとともに、新たなデータを書込むためのリーダライタ１５と、スピーカ４を駆動制御する音声ユニット１６とが接続されている。なお、ＣＰＵ１１には、表示画面３を駆動制御する表示ドライバ等の危機も接続されているが、ここでは省略されている。
【００１６】
図３は、上記構成からなる改札機本体Ｇが改札口に複数台（図示の例では４台）設置されたときの改札通路Ｐの進入方向から見た正面図である。なお、図３において左側に位置する改札機本体Ｇの改札通路Ｐは、車いすの利用者イが通過できるように他の改札通路（図３において右側３個の改札通路）Ｐ，Ｐ…よりも幅広に形成されている。
【００１７】
この図３において扇状に広がる一点鎖線は、各スピーカ４ａ〜４ｄの指向性を示している。すなわち、スピーカ４ａの指向方向は、車いすの利用者イの顔面に向けられ、スピーカ４ｂの指向方向は、小児（子供）ロの顔面に向けられ、スピーカ４ｃの指向方向は、大人の顔面に向けられている。そして、スピーカ４ｄの指向方向は、改札通路Ｐを通過する全ての利用者の顔面に向くように、つまり無指向性であり、従来と同様に構成されている。なお、図３から明らかなように、車いすの利用者イの指向方向と小児ロの指向方向はほぼ同じであるので、スピーカ４ａ及びスピーカ４ｂを一つのスピーカとすることもできる。
【００１８】
上記の各スピーカ４ａ〜４ｄは、筐体Ｇ1 のセンサ取付ボックスＢ内に設けたが、筐体Ｇ1 内に設けることも可能である。特に、無指向性のスピーカ４ｄは、従来と同様に、筐体Ｇ1 の改札通路Ｐ側の側面で、人間検知器Ｓ12，Ｓ13の近傍に設けることも可能である。さらに、指向性のスピーカ４ａ〜４ｃは、１個の高指向性のスピーカとし、そのスピーカを可動型としてスピーカの指向軸を変化させる形式とすることもできる。
【００１９】
以下、図４のフローチャートを用いて制御動作について説明する。なお、この改札機本体Ｇで使用される図示しない磁気券からなる乗車券又は非接触券には、利用者の属性を示さないもの以外に、利用者が車いすの利用者である旨、利用者が小児である旨、利用者が老人である旨、あるいは、利用者が聴覚の弱い利用者、いわゆる難聴者である旨等の利用者の属性を示す所定のデータが含まれているものが存在しているものとする。
【００２０】
今、改札機本体Ｇの投入口１に投入された乗車券又はアンテナａにタッチ又はかざされた非接触券（以下、乗車券で説明する。）に記録されているデータが制御器Ｃにより読取られたとする（ステップ１００肯定、以下、ステップを「Ｓ」とする。）。この読取られたデータ中に、上述した利用者の属性を示す所定のデータがなく、しかも、その読取られたデータを基にしたＣＰＵ１１の入出場（入場又は出場を意味している。）の所定の演算処理で入出場を許可できないときは、ドアＤ1 が閉じられるとともに、スピーカ４ｄを介して無指向性で精算処理等の所定の音声案内が行われ、かつ、同様の案内が表示画面３を介して案内される（Ｓ１０２否定、Ｓ１０４。図３のスピーカ４ｄ参照）。なお、読取られたデータを基にしたＣＰＵ１１の入出場の所定の演算処理で入出場を許可でき、乗車券の取忘れ等が発生せずに、特に利用者への音声案内がなければ、スピーカ４ｄからの音声案内は行われず、改札口の騒音発生が抑制される（図４のフローチャートでは省略）。このような音声案内の省略は、以下のスピーカ４ａ〜４ｃでも同様である。
【００２１】
ところで、乗車券から読取られたデータ中に車いすの利用者イを示す属性データが含まれているときは（Ｓ１０２肯定、Ｓ１０６肯定）、スピーカ４ａが駆動されて精算案内等の所定の音声案内が行われるとともに、同様の案内が表示画面３を介して行われる（Ｓ１０８。図３のスピーカ４ａ参照）。
【００２２】
乗車券から読取られたデータ中に車いすの利用者を示す属性データが含まれておらず、大人の難聴者を示す属性データが含まれているとき、あるいは、老人を示す属性データ等の大人に係る属性データが含まれているときは（Ｓ１０６否定、Ｓ１１０肯定）、スピーカ４ｃが駆動されて精算案内等の所定の音声案内が行われるとともに、同様の案内が表示画面３を介して行われる（Ｓ１１２。図３のスピーカ４ｃ参照）。
【００２３】
乗車券から読取られたデータ中に小児を示す属性データが含まれているときは（Ｓ１１０否定）、スピーカ４ｂが駆動されて精算案内等の所定の音声案内が行われるとともに、同様の案内が表示画面３を介して行われる（Ｓ１１４。図３のスピーカ４ｂ参照）。
【図面の簡単な説明】
【００２４】
【図１】本発明に係る改札機本体を構成する一対の筐体のうちの一方の筐体の斜視図である。
【図２】制御器のブロック図である。
【図３】本発明の改札機本体を改札通路の進入方向側から見た正面図である。
【図４】制御動作を示すフローチャートである。
【符号の説明】
【００２５】
Ｇ  自動改札機の本体（改札機本体）
Ｇ1   筐体
Ｄ1 ，Ｄ2   ドア
Ｐ  改札通路
Ｂ  センサ取付ボックス
Ｓ1 〜Ｓ3 ，Ｓ10〜Ｓ15  人間検知器
１  投入口
２  取出口
３  表示画面
４ａ〜４ｄ  スピーカ
ａ  アンテナ
Ｃ  制御器
【図１】
2005032090.tif 000003
【図２】
2005032090.tif 000004
【図３】
2005032090.tif 000005
【図４】
2005032090.tif 000006